(57)【要約】【課題】  力の弱い高齢者や障害者の方々が、中身の入った重たいペットボトルを手で持ち上げ注水も移動も、上から押し下げる動作だけで行える補助器を提供する。【解決手段】  様々なサイズのペットボトルに対応できるボトルセッティングケージと、その前面端に接続された変形ケージガイドが、注水ボトル台車の上、即ちＵ字型ガイド載置板とケージ載置板の上に載置され、ボトルセッティングケージ底の前後可動キャスターとＵ字型ガイド載置板の底の全方位可動キャスターの自由な動きを介して、注水されるペットボトルの傾きが、小さな力でコントロールされることを特徴とするペットボトル注水補助器。【選択図】図１
2016030195.tif 000002
【特許請求の範囲】
【請求項１】
大きくは、ボトルセッティングケージ、及びそれと接続された変型ケージガイドと、これらを載せて小回り良く移動する注水ボトル台車とから構成されるのであるが、ボトルセッティングケージは、上方を開口した四角い箱状を想定し、変形ケージガイドと接続する側を前方と仮定した場合において、後方に向かって徐々に狭まっており、ボトルセッティングケージにセットされたペットボトルはサイズの大小に拘わらず、後部側で適度に締め付け保持されるように形成され、前部の開口部縁にスベリ止めを設け、底面外側の前部の左右端辺に前後可動キャスターを設け、底部後方端辺に沿って下向きに後方転倒支持脚を設置するのであり、変型ケージガイドは、外的な力が加わると柔軟にしなりたわみ、力が止むと自然に元の形状に戻るようなプラスチック樹脂材等で形成され、ボトルセッティングケージとほぼ同等の高さを持つ丸角四角形筒状で、全４つの筒壁面は連続的一体に閉じられ、筒の両端は全面開口され、筒壁の幅・高さはボトルセッティングケージとほぼ同等であり、筒壁面の一つにおいてボトルセッティングケージの前面に付け外し式に接続され、底面外側の前端左右に滑りにくい材質のストッパーを設けるのであって、この様に前後関係に接続されたボトルセッティングケージと変形ケージガイドが上から付け外し式に載置され、それを受けて下から結合されるのが注水ボトル台車であり、Ｕ字型ガイド載置板とケージ載置板とが前後関係に接続結合される、但し、直接的結合ではなく間接的・媒介的に結合されるのであるが、Ｕ字型ガイド載置板は、幅広面を成すガイド載置部と、その後部左右端から後方へＵ字の腕のように伸びるガイド載置板腕部とから成り、この両腕部の先端において、ほぼ同幅で一端を蝶番接合された細長板状の押し上げ板が設けられ、押し上げ板の他端は、ケージ載置板の上面左右後端近辺にそれぞれ蝶番結合され、ケージ載置板の前部左右端においては、それぞれガイド載置板腕部と同等幅で一端を蝶番接合された細長板状の連結支持板が設けられ、連結支持板のそれぞれの他端は、Ｕ字型ガイド載置板の裏面におけるガイド載置板腕部の根元付近に蝶番結合され、その左右の結合部の直ぐ前に全方位可動キャスターを設け、ケージ載置板裏面の前端手前にも左右それぞれに全方位可動キャスターを設け、更に、ケージ載置板の後端寄り中央部には、非使用時の持ち運びに便利な把っ手穴を穿設し、ガイド載置部のやや前端寄り辺の２か所に変形ケージガイド取付け孔を設けるのであり、斯くして、「前後関係に接続されたボトルセッティングケージと変形ケージガイド」と、それに相応した形で、「押し上げ板と連結支持板を介して前後関係に接続されたＵ字型ガイド載置板とケージ載置板」を主構成とする注水ボトル台車とが形成され、変形ケージガイド底面の前端手前の２か所において、ガイド載置部の変形ガイド取付け孔にボトル止め固定され、ボトルセッティングケージの底に設けられた前後可動キャスターはケージ載置板の上に載り、注水ボトル台車は、前端が変形ケージガイドの底のストッパーの直ぐ内側（後方）にあり、後端がケージ後方転倒支持脚の直ぐ内側（前方）にあり、斯様な形で一体として成立することを特徴とするペットボトル注水補助器。
【発明の詳細な説明】
【技術分野】
【０００１】  本発明は中身の入った大きなペットボトルや紙パックを乗せて移動し、注水する補助器に関するものである。
【背景技術】
【０００２】  従来は、通常中身の入った大きな重たいペットボトルなどを両手で持ち上げて移動し、コップなどの容器に注ぎ入れている。
【発明の概要】
【発明が解決しようとする課題】
【０００３】  力の弱い高齢者や子供や女性や障害者の方などが、重いボトルを両手で持ち上げて、抱きかかえるように注いだり、移動させたりする事が重作業だった。
【課題を解決する為の手段】
【０００４】  大きくは、ボトルセッティングケージ、及びそれと接続された変型ケージガイドと、これらを載せて小回り良く移動する注水ボトル台車とから構成される。
ボトルセッティングケージは、上方を開口した四角い箱状を想定し、変形ケージガイドと接続する側を前方と仮定した場合において、後方に向かって徐々に狭まっており、ボトルセッティングケージにセットされたペットボトルはサイズの大小に拘わらず、後部側で適度に締め付け保持されるように形成され、前部の開口部縁にスベリ止めを設け、底面外側の前部の左右端辺に前後可動キャスターを設け、底部後方端辺に沿って下向きに後方転倒支持脚を設置する。
変型ケージガイドは、外的な力が加わると柔軟にしなりたわみ、力が止むと自然に元の形状に戻るようなプラスチック樹脂材等で形成され、ボトルセッティングケージとほぼ同等の高さを持つ丸角四角形筒状で、全４つの筒壁面は連続的一体に閉じられ、筒の両端は全面開口され、筒壁の幅・高さはボトルセッティングケージとほぼ同等であり、筒壁面の一つにおいてボトルセッティングケージの前面に付け外し式に接続され、底面外側の前端左右に滑りにくい材質のストッパーを設ける。
この様に、前後関係に接続されたボトルセッティングケージと変形ケージガイドが上から付け外し式に載置され、それを受けて下から結合されるのが注水ボトル台車であり、Ｕ字型ガイド載置板とケージ載置板とが前後関係に接続結合される。但し、直接的結合ではなく間接的・媒介的に結合される。Ｕ字型ガイド載置板は、幅広面を成すガイド載置部と、その後部左右端から後方へＵ字の腕のように伸びるガイド載置板腕部とから成り、この両腕部の先端において、ほぼ同幅で一端を蝶番接合された細長板状の押し上げ板が設けられ、押し上げ板の他端は、ケージ載置板の上面左右後端近辺にそれぞれ蝶番結合され、ケージ載置板の前部左右端においては、それぞれガイド載置板腕部と同等幅で一端を蝶番接合された細長板状の連結支持板が設けられ、連結支持板のそれぞれの他端は、Ｕ字型ガイド載置板の裏面におけるガイド載置板腕部の根元付近に蝶番結合され、その左右の結合部の直ぐ前に全方位可動キャスターを設け、ケージ載置板裏面の前端手前にも左右それぞれに全方位可動キャスターを設け、更に、ケージ載置板の後端寄り中央部には、非使用時の持ち運びに便利な把っ手穴を穿設し、ガイド載置部のやや前端寄り辺の２か所に変形ケージガイド取付け孔を設ける。
斯くして、「前後関係に接続されたボトルセッティングケージと変形ケージガイド」と、それに相応した形で、「押し上げ板と連結支持板を介して前後関係に接続されたＵ字型ガイド載置板とケージ載置板」を主構成とする注水ボトル台車とが形成され、変形ケージガイド底面の前端手前の２か所において、ガイド載置部の変形ガイド取付け孔にボトル止め固定され、ボトルセッティングケージの底に設けられた前後可動キャスターはケージ載置板の上に載り、注水ボトル台車は、前端が変形ケージガイドの底のストッパーの直ぐ内側（後方）にあり、後端がケージ後方転倒支持脚の直ぐ内側（前方）にあり、斯様な形で一体としてのペットボトル注水補助器が成立する。
以上を特徴とするペットボトル注水補助器である。
【発明の効果】
【０００５】  本発明により、テーブルや床などの平らな場所で中身の入った重たいペットボトルをボトルセッティングケージにセットすると、予め中身が漏れない程度に変形ケージガイドの方に傾き、注水準備の状態で安定に保たれ、ボトルの先端付近を下に押し下げると変形ケージガイドが柔軟にしなりたわみ、手を使わずとも注水することが出来、ボトルを放すと素早く元の状態に戻り安定を保つ。移動したい時は注水ボトル台車の押し上げ板を押すと、キャスターを支点にしたテコの働きで、加重よりも軽く安定した状態で押し上げられ、水平になると前後左右に小回り良く移動出来るようになる。押し上げ板を放すと元の状態に戻りストッパーが接地して静止し安定するため、誤って放してしまっても動き続ける事は無く、台車の高さが低目で食器などに接触しても倒れづらく、安心して使用することが出来る。
以上のことから、一度ペットボトルをセットすれば力の弱い高齢者・障害者・女性・子供も、ペットボトルを持ち上げる事無く注水と移動が出来、状況によっては直接に口に流し込んだりも出来、補助器を背合わせや並列に繋いでの使用も可能である。
本発明はこの補助器だけではなく、「衝撃柔和を目的とした器具や」、「手足での押し下げ運動による四輪自転車遊具」。などが考えられる。
【図面の簡単な説明】
【０００６】
【図１】本発明斜視図
【図２】本発明の使用状態を示す斜視図
【図３】本発明の一部である注水ボトル台車が、使用直前に外的な力や重さが加わってない状態を示す斜視図
【図４】本発明の一部である注水ボトル台車が、その上に載置されるものがセットされる直前に、上から軽く押し下げられた状態を示す斜視図
【本発明を実施するための形態】
【０００７】  以下、本発明の実施の形態を説明する。
大きくは、ボトルセッティングケージ（１）、及びそれと接続された変型ケージガイド（２）と、これらを載せて小回り良く移動する注水ボトル台車（８）とから構成される。
ボトルセッティングケージ（１）は、上方を開口した四角い箱状を想定し、変形ケージガイド（２）と接続する側を前方と仮定した場合において、後方に向かって徐々に狭まっており、ボトルセッティングケージ（１）にセットされたペットボトル（２０）はサイズの大小に拘わらず、後部側で適度に締め付け保持されるように形成され、前部の開口部縁にスベリ止め（３）を設け、底面外側の前部の左右端辺に前後可動キャスター（４）を設け、底部後方端辺に沿って下向きに後方転倒支持脚（５）を設置する。
変型ケージガイド（２）は、外的な力が加わると柔軟にしなりたわみ、力が止むと自然に元の形状に戻るようなプラスチック樹脂材等で形成され、ボトルセッティングケージ（１）とほぼ同等の高さを持つ丸角四角形筒状で、全４つの筒壁面は連続的一体に閉じられ、筒の両端は全面開口され、筒壁の幅・高さはボトルセッティングケージ（１）とほぼ同等であり、筒壁面の一つにおいてボトルセッティングケージ（１）の前面に付け外し式に接続ボルト（７）で接続され、底面外側の前端左右に滑りにくい材質のストッパー（６）を設ける。
この様に、前後関係に接続されたボトルセッティングケージ（１）と変形ケージガイド（２）が上から付け外し式に載置され、それを受けて下から結合されるのが注水ボトル台車（８）であり、Ｕ字型ガイド載置板（９）とケージ載置板（１０）とが前後関係に接続結合される。但し、直接的結合ではなく間接的・媒介的に結合される。Ｕ字型ガイド載置板（９）は、幅広面を成すガイド載置部（１１）と、その後部左右端から後方へＵ字の腕のように伸びるガイド載置板腕部（１２）とから成り、この両腕部の先端において、ほぼ同幅で一端を蝶番（１３）接合された細長板状の押し上げ板（１４）が設けられ、押し上げ板（１４）の他端は、ケージ載置板（１０）の上面左右後端近辺にそれぞれ蝶番（１３）結合され、ケージ載置板（１０）の前部左右端においては、それぞれガイド載置板腕部（１２）と同等幅で一端を蝶番（１３）接合された細長板状の連結支持板（１５）が設けられ、連結支持板（１５）のそれぞれの他端は、Ｕ字型ガイド載置板（９）の裏面におけるガイド載置板腕部（１２）の根元付近に蝶番（１３）結合され、その左右の結合部の直ぐ前に全方位可動キャスター（１６）を設け、ケージ載置板（１０）裏面の前端手前にも左右それぞれに全方位可動キャスター（１６）を設け、更に、ケージ載置板（１０）の後端寄り中央部には、非使用時の持ち運びに便利な把っ手穴（１７）を穿設し、ガイド載置部（１１）のやや前端寄り辺の２か所に変形ケージガイド取付け孔（１８）を設ける。
斯くして、「前後関係に接続されたボトルセッティングケージ（１）と変形ケージガイド（２）」と、それに相応した形で、「押し上げ板（１４）と連結支持板（１５）を介して前後関係に接続されたＵ字型ガイド載置板（９）とケージ載置板（１０）」を主構成とする注水ボトル台車（８）とが形成され、変形ケージガイド（２）底面の前端手前の２か所において、ガイド載置部（１１）の変形ケージガイド取付け孔（１８）に取付けボルト（１９）で止め固定され、ボトルセッティングケージ（１）の底に設けられた前後可動キャスター（４）はケージ載置板（１０）の上に載り、注水ボトル台車（８）は、前端が変形ケージガイド（２）の底のストッパー（６）の直ぐ内側（後方）にあり、後端がケージ後方転倒支持脚（５）の直ぐ内側（前方）にあり、斯様な形で一体としてのペットボトル注水補助器が成立する。
本発明は以上のような構造であり、以下その具体的な使用の形態について説明する。
本発明の平常時は、注水ボトル台車（８）が前方に傾きストッパー（６）が接地し安定した状態で、ペットボトル（２０）をボトルセッティングケージ（１）に出し入れするときに動かなくなっており、この状態からペットボトル（２０）の先端付近を下に押し下げることで注水作業が始まり、手を使わなくても注げるのである。
移動するときは、注水ボトル台車（８）の押し上げ板（１４）を上から押すと、上に載せた加重よりも軽く押さえられ、注水ボトル台車（８）が水平になりストッパー（６）が持ち上がると前後左右に小回り良く動かすことが出来、押し上げ板（１４）を放すとストッパー（６）が接地して止まり平常時に戻るのである。
洗浄時は、取付けボルト（１９）と接続ボルト（７）を外し、注水ボトル台車（８）・変形ケージガイド（２）・ボトルセッティングケージ（１）に分けて、拭き取ったり洗ったり出来る。
持ち運びは、ケージ載置板の把っ手穴（１７）部を手で持って運べる。
【符号の説明】
【０００８】１  ボトルセッティングケージ、    ２  変形ケージガイド、    ３  スベリ止め、
４  前後可動キャスター、    ５  後方転倒支持脚、    ６  ストッパー、
７  接続ボルト、    ８  注水ボトル台車、    ９  Ｕ字型ガイド載置板、
１０  ケージ載置板、    １１  ガイド載置部、    １２  ガイド載置板腕部、
１３  蝶番、    １４  押し上げ板、    １５  連結支持板、
１６  全方位可動キャスター、    １７  把っ手穴、
１８  変形ケージガイド取付け孔、    １９  取付けボルト、
２０  ペットボトル、
【図１】
2016030195.tif 000003
【図２】
2016030195.tif 000004
【図３】
2016030195.tif 000005
【図４】
2016030195.tif 000006